(57)【要約】【課題】被写体光の入射光軸（第１の光軸）と平行な方向の厚みが薄く、小型化が可能なレンズ鏡筒を提供する。【解決手段】このレンズ鏡筒１０は、１群枠３１と固定枠３２を有しており、１群枠には、被写体光束を入射光軸Ｏ１　から垂直方向の光軸Ｏ２　に屈折するプリズムを内蔵している。固定枠３２には、光軸Ｏ２　方向に進退可能な２群レンズ３５を保持する２群枠３８等が配置され、その下方部に被写体像を電気撮像信号に変換するＣＣＤ５５が配置される。１群枠３１の下面部に配置されるＮＤフィルタユニット４７のＮＤフィルタと、２群枠３５の上面部に配置されるシャッタユニット４８のセクタとは、光量調整のためにそれぞれ光軸Ｏ１　と光軸Ｏ２　とをを含む光軸面に直交する左右方向に沿ってスライド移動可能に配置されており、レンズ鏡筒の前後方向の厚みを薄くすることが可能になる。【選択図】　　図５
2004133052.tif 000002
【特許請求の範囲】
【請求項１】
第１の光軸に沿って被写体から入射する光束を第１の光軸に交差する第２の光軸に沿うように反射させる反射光学部材を有するレンズ鏡筒において、
被写体からの入射光の光量を調整するための光量調整部材と、
上記光量調整部材を変位させる駆動源と、
を具備し、上記光量調整部材を変位させることで上記被写体からの入射光の光量を調整可能であって、上記光量調整部材は、上記第１の光軸と上記第２の光軸とを含む平面に対し略直交する方向に変位することを特徴とするレンズ鏡筒。
【請求項２】
上記光量調整部材は、光路を遮蔽する位置と、光路から退避した位置とに変位可能な遮蔽部材であることを特徴とする請求項１に記載のレンズ鏡筒。
【請求項３】
上記光量調整部材は、光路内位置と、光路から退避した位置とに変位可能なＮＤフィルタであることを特徴とする請求項１に記載のレンズ鏡筒。
【請求項４】
第１の光軸に沿って被写体から入射する光束を上記第１の光軸に交差する第２の光軸に沿うように反射させる反射光学部材を有するレンズ鏡筒において、
上記第２の光軸に沿って配されるレンズ群と、
上記レンズ群を上記第２の光軸に沿って変位可能に保持する保持枠と、
上記保持枠と一体的に変位し、上記第２の光軸に略直交する平面内で露出開口を遮蔽する位置と、開放する位置とに移動可能な遮蔽部材を有するシャッタ手段と、
を具備し、上記遮蔽部材は、上記第１の光軸と上記第２の光軸とを含む平面に対し略直交する方向に移動することを特徴とするレンズ鏡筒。
【請求項５】
さらに、上記遮蔽部材を駆動するためのシャッタ用駆動源と、
上記レンズ群を第２の光軸に沿って変位させるためのレンズ用駆動源と、
を具備し、上記シャッタ用駆動源とレンズ用駆動源とが、上記シャッタ手段の側方であって上記第２の光軸と略平行な―つの直線領域に配置されることを特徴とする請求項４に記載のレンズ鏡筒。
【請求項６】
さらに、上記第２の光軸に直交する平面内で、撮影光路中に侵入する位置と退避する位置とに移動可能なＮＤフィルタを有し、該ＮＤフィルタは、上記第１の光軸と上記第２の光軸とを含む平面に対し略直交する方向に移動することを特徴とする請求項４に記載のレンズ鏡筒。
【請求項７】
上記ＮＤフィルタは、第２の光軸に沿う方向で、上記シャッタ手段とは異なる平面内に配されることを特徴とする請求項６に記載のレンズ鏡筒。
【請求項８】
複数のレンズ群からなる変倍光学系を有するレンズ鏡筒において、
第１の光軸に沿って被写体から入射する光束を上記第１の光軸に交差する第２の光軸に沿うように反射させる反射光学部材と、
上記第２の光軸に沿って配される第１、第２の可動レンズ群と、
上記第１の可動レンズ群を上記第２の光軸に沿って変位可能に保持する第１の可動保持枠と、
上記第２の可動レンズ群を上記第２の光軸に沿って変位可能に保持する第２の可動保持枠と、
上記第２の光軸に沿って上記第１の可動保持枠と一体的に変位し、上記第２の光軸に略直交する平面内で露出開口を遮蔽する位置と、開放する位置とに移動可能な遮蔽部材を有するシャッタ手段と、
を具備し、上記遮蔽部材は、上記第１の光軸と第２の光軸とを含む平面に対し略直交する方向に移動することを特徴とするレンズ鏡筒。
【請求項９】
さらに、上記第２の光軸に直交する平面内で、撮影光路中に侵入する位置と退避する位置とに移動可能なＮＤフィルタを有し、該ＮＤフィルタは、上記第１の光軸と第２の光軸とを含む平面に対し略直交する方向に移動することを特徴とする請求項８に記載のレンズ鏡筒。
【請求項１０】
さらに、上記遮蔽部材を駆動するためのシャッタ用駆動源と、
上記ＮＤフィルタを駆動するためのフィルタ用駆動源と、
上記第１の可動保持枠と第２の可動保持枠とを第２の光軸に沿って変位させるためのレンズ駆動ユニットと、
を具備し、上記シャッタ用駆動源と上記フィルタ用駆動源とは、第１の光軸方向に並列して配置され、上記レンズ用駆動ユニットは、第１の光軸方向に並列して配置される、各々が上記第１、第２の可動保持枠を駆動する２本のシャフトを有しており、上記シャッタ用駆動源とフィルタ用駆動源に対して第２の光軸方向に略直線的にずれた位置に配置されることを特徴とする請求項９に記載のレンズ鏡筒。
【発明の詳細な説明】
【０００１】
【発明の属する技術分野】
本発明は、レンズ鏡筒の構造に関する。
【０００２】
【従来の技術】
従来より複数のレンズ群等からなる撮影光学系に入射する光束に基づいて形成される被写体像を所定の位置に配置した被写体像取得手段、例えば、電荷結合素子（ＣＣＤ）等の撮像素子、または、写真撮影用フィルムなどの感光材料の受光面上に結像させることにより所望の被写体像情報、または、被写体画像を取得するように構成されたカメラが広く一般に普及し、実用に供されている。
【０００３】
このようなカメラにおいては、更なる小型化、特にカメラの厚さ方向の小型化が望まれているが、そのためには撮影光学系を含むレンズ鏡筒の小型化が不可欠であった。
【０００４】
上記カメラなどに使用されるレンズ鏡筒としては、例えば、複数のレンズ群等を有する撮影光路中に反射鏡等からなる反射部材を配置して、撮影光軸を所定の方向に折り曲げる、所謂、折り曲げ光学系を適用することにより、装置の小型化を図るものが提案されている。
【０００５】
特許文献１には、上記折り曲げ光学系を適用するレンズ鏡筒が提案されており、このレンズ鏡筒においては、プリズムにより被写体光を取り込むと共に、このプリズムにより撮影光軸を折り曲げて、複数のレンズ群からなる光学系に上記被写体光を入射させる構造が採用されている。なお、上記プリズムへの入射光軸を第１の光軸とし、折り曲げ後の複数のレンズ群の光軸を第２の光軸とする。
【０００６】
ところで、上述したようなレンズ鏡筒においては、被写体の輝度に応して光量を調整するためのシャッタや絞りユニットなどの光量調整装置や、焦点調節、変倍のためのレンズ駆動機構を内蔵することが一般的である。
【０００７】
上記特許文献１に開示されたレンズ鏡筒においても上記複数のレンズ群の間に上記絞りユニットが配されており、その絞りユニットの絞り羽根を絞りユニット駆動源により上記第１の光軸と平行な方向に変位させることで光量調整が行われる。さらに、ズームモータ、フォーカスモータによって上記複数のレンズ群の第２の光軸方向への焦点調節駆動、変倍駆動が行われる。そして、上記絞りユニット駆動源、および、上記ズームモータ、フォーカスモータは、第１光軸を中心とした直方体内の各隅部に配置されている。
【０００８】
【特許文献１】
特許文献１は、特開平１１−８４２０９号公報（段落番号００１７〜００２３）である。
【０００９】
【発明か解決しようとする課題】
しかしながら、上記特許文献１に開示されたレンズ鏡筒においては、光量調整装置である絞り羽根の駆動方向がプリズムヘの被写体光の入射光軸（第１の光軸）と平行な方向であるため、上記第１の光軸方向に沿ったレンズ鏡筒の厚みの薄型化を図るに必ずしも好適な構造ではなかった。レンズ鏡筒の十分な薄型化が図られ、カメラのコンパクト化を実現するには、上記光量調整装置の駆動方向を考慮し、それとともに、光量調整装置の駆動源やレンズ群の進退駆動用の駆動源の配置を考慮する必要がある。
【００１０】
本発明は、以上のような事由に鑑み、光量調整装置の駆動方向を考慮し、同時に光量調整装置駆動用やレンズ駆動用の駆動源の配置を考慮し、レンズ鏡筒の厚み方向、すなわち、被写体光の入射光軸（第１の光軸）と平行な方向の厚みが薄く、カメラのさらなる小型化を可能にするレンズ鏡筒を提供することを目的とする。
【００１１】
【課題を解決するための手段】
本発明の請求項１記載のレンズ鏡筒は、第１の光軸に沿って被写体から入射する光束を第１の光軸に交差する第２の光軸に沿うように反射させる反射光学部材を有するレンズ鏡筒において、被写体からの入射光の光量を調整するための光量調整部材と、上記光量調整部材を変位させる駆動源とを具備しており、上記光量調整部材を変位させることで上記被写体からの入射光の光量を調整可能であって、上記光量調整部材は、上記第１の光軸と上記第２の光軸とを含む平面に対し略直交する方向に変位し、上記光量の調整が行われる。
【００１２】
本発明の請求項２記載のレンズ鏡筒は、請求項１記載のレンズ鏡筒において、上記光量調整部材は、光路を遮蔽する位置と、光路から退避した位置とに変位可能な遮蔽部材である。
【００１３】
本発明の請求項３記載のレンズ鏡筒は、請求項１記載のレンズ鏡筒において、上記光量調整部材は、光路内位置と、光路から退避した位置とに変位可能なＮＤフィルタである。
【００１４】
本発明の請求項４記載のレンズ鏡筒は、第１の光軸に沿って被写体から入射する光束を上記第１の光軸に交差する第２の光軸に沿うように反射させる反射光学部材を有するレンズ鏡筒において、上記第２の光軸に沿って配されるレンズ群と、上記レンズ群を上記第２の光軸に沿って変位可能に保持する保持枠と、上記保持枠と一体的に変位し、上記第２の光軸に略直交する平面内で露出開口を遮蔽する位置と、開放する位置とに移動可能な遮蔽部材を有するシャッタ手段とを具備しており、上記遮蔽部材は、上記第１の光軸と上記第２の光軸とを含む平面に対し略直交する方向に移動することによって露出開口の遮蔽、開放を行う。
【００１５】
本発明の請求項５記載のレンズ鏡筒は、請求項４に記載のレンズ鏡筒において、さらに、上記遮蔽部材を駆動するためのシャッタ用駆動源と、上記レンズ群を第２の光軸に沿って変位させるためのレンズ用駆動源とを具備しており、上記シャッタ用駆動源とレンズ用駆動源とが、上記シャッタ手段の側方であって上記第２の光軸と略平行な―つの直線領域に配置される。
【００１６】
本発明の請求項６記載のレンズ鏡筒は、請求項４に記載のレンズ鏡筒において、さらに、上記第２の光軸に直交する平面内で、撮影光路中に侵入する位置と退避する位置とに移動可能なＮＤフィルタを有し、該ＮＤフィルタは、上記第１の光軸と上記第２の光軸とを含む平面に対し略直交する方向に移動し、被写体の入射光量を調整する。
【００１７】
本発明の請求項７記載のレンズ鏡筒は、請求項６記載のレンズ鏡筒において、上記ＮＤフィルタは、第２の光軸に沿う方向で、上記シャッタ手段とは異なる平面内に配される。
【００１８】
本発明の請求項８記載のレンズ鏡筒は、複数のレンズ群からなる変倍光学系を有するレンズ鏡筒において、第１の光軸に沿って被写体から入射する光束を上記第１の光軸に交差する第２の光軸に沿うように反射させる反射光学部材と、上記第２の光軸に沿って配される第１、第２の可動レンズ群と、上記第１の可動レンズ群を上記第２の光軸に沿って変位可能に保持する第１の可動保持枠と、上記第２の可動レンズ群を上記第２の光軸に沿って変位可能に保持する第２の可動保持枠と、上記第２の光軸に沿って上記第１の可動保持枠と一体的に変位し、上記第２の光軸に略直交する平面内で露出開口を遮蔽する位置と、開放する位置とに移動可能な遮蔽部材を有するシャッタ手段とを具備しており、上記遮蔽部材は、上記第１の光軸と第２の光軸とを含む平面に対し略直交する方向に移動して上記露出開口を開閉する。
【００１９】
本発明の請求項９記載のレンズ鏡筒は、請求項８に記載のレンズ鏡筒において、上記第２の光軸に直交する平面内で、撮影光路中に侵入する位置と退避する位置とに移動可能なＮＤフィルタを有し、該ＮＤフィルタは、上記第１の光軸と第２の光軸とを含む平面に対し略直交する方向に移動して、被写体の入射光光量を調整する。
【００２０】
本発明の請求項１０記載のレンズ鏡筒は、請求項９に記載のレンズ鏡筒において、さらに、上記遮蔽部材を駆動するためのシャッタ用駆動源と、上記ＮＤフィルタを駆動するためのフィルタ用駆動源と、上記第１の保持枠と第２の保持枠とを第２の光軸に沿って変位させるためのレンズ駆動ユニットとを具備しており、上記シャッタ用駆動源と上記フィルタ用駆動源とは、第１の光軸方向に並列して配置され、上記レンズ用駆動ユニットは、第１の光軸方向に並列して配置される、各々が上記第１、第２の保持枠を駆動する２本のシャフトを有しており、上記シャッタ用駆動源とフィルタ用駆動源に対して第２の光軸方向に略直線的にずれた位置に配置される。
【００２１】
【発明の実施の形態】
以下、本発明の実施の形態を図に基づいて説明する。
図１は、本発明の一実施形態であるレンズ鏡筒を内蔵する電子カメラの分解斜視図である。
【００２２】
なお、以下の説明において、図１に示すように被写体光束の入射方向である第１の光軸Ｏ１　に沿った方向をＺ方向とし、電子カメラの被写体側方向のＺ（＋）方向を前方、カメラ背面側方向のＺ（−）方向を後方とする。Ｚ方向に垂直な方向で上下方向をＹ方向とし、Ｙ（＋）方向を上方向、Ｙ（−）方向を下方向とする。Ｚ方向に垂直な方向で左右方向をＸ方向とし、カメラを被写体側からみてＸ（＋）方向を右方向、Ｘ（−）方向を右方向とする。
【００２３】
図１に示すように本実施形態の電子カメラ１は、所謂、デジタルカメラであり、外装部材である前カバー２および後カバー３を有し、上記前カバー２と、後カバー３内に収納される構成ユニットとしてレンズ鏡筒１０と、電気基板ユニット５と、電源ユニット６と、ストロボユニット７と、ストロボチャージ用コンデンサ８と、表示ユニットであるＬＣＤユニット９と、さらに、ベースフレーム２４とを有してなる。
【００２４】
上記前カバー２には、その前面部に被写体光束を取り込むための撮影窓部２ａと、ストロボ発光窓部２ｂが配置されている。
【００２５】
上記後カバー３には、その上面部に２段操作のレリーズ釦２６と電源をオンオフする電源釦２７とが配置され、背面部にＬＣＤ開口部３ａが設けられている。上記ＬＣＤ開口部３ａを覆うように上記後カバー３の背面部には、透明部材である透明板４が固着されている。
【００２６】
上記レンズ鏡筒１０は、カメラ装着状態でＸ，Ｙ平面に沿った前面部をもち、長手方向がＹ方向であって、Ｚ方向に比較的薄い厚みをもつ略直方体形状の外形を有し、その上方部には、第１の光軸Ｏ１　（Ｚ方向）に沿った被写体光束を取り込むための折り曲げ光学系を形成する反射光学部材のプリズム３３が収納される。なお、レンズ鏡筒上面後部は、傾斜面３１ｃ（図３）が形成されている。
【００２７】
このレンズ鏡筒１０においては、上記プリズム３３により取り込まれた第１の光軸Ｏ１　方向の被写体光束が第２の光軸Ｏ２方向に反射され、後述する撮影レンズ系を介して撮像素子であるＣＣＤ５５の結像面に結像され、被写体像の撮像信号に変換される。その詳細な構造は後述する。
【００２８】
上記電気基板ユニット５は、上記レンズ鏡筒１０の側方に配され、後述する電子カメラの電気回路の各制御要素が実装される３枚のプリント基板１８，１９，２０を有し、上記プリント基板２０の内側には、記録メディアスロット２１が実装されている。プリント基板１８，１９，２０は、フレキシブルプリント基板（以下、ＦＰＣと記載する）２２，２３により連結接続され、上記光軸Ｏ１　方向に３枚重ね状態で収納される。
【００２９】
上記電源ユニット６は、上記レンズ鏡筒１０の側方に配され、電池ケース１１と、電池ケース１１に挿入して収納されるカメラ電源用電池１２とからなり、ＸＹ面に広がる平面を有し、Ｚ方向の厚みが比較的に薄い直方体形状を有する。
【００３０】
上記ストロボユニット７は、ストロボ本体１３と、ストロボ本体１３の反射傘内部に支持されるストロボ発光管１４とからなる。
【００３１】
上記ＬＣＤユニット９は、Ｘ，Ｙ平面に沿った表示面を有する液晶表示板であるＬＣＤ表示板１５と、ＬＣＤ表示板１５の上側位置に配置され、Ｘ方向に延びるＬＣＤ照明用光源１６と、略ＬＣＤ表示板１５の反表示面側を覆う導光板１７とを有してなる。上記導光板１７は、Ｙ方向に肉厚が変化する部材であって、光源側の上方が厚肉、下方が薄肉で形成される。
【００３２】
上記各構成ユニットの前，後カバー２，３内への収納状態について説明すると、まず、金属板で形成され、ＸＹ面に広がる平面をもつベースフレーム２４の中央部にレンズ鏡筒１０の前面部（第２の外壁３２ｊ）を当て付けてビス２５により締結固定する。ベースフレーム２４の左側のレンズ鏡筒１０に隣接した状態で電気基板ユニット５のプリント基板２０側がメディアスロット２１とともにビス２５により締結固定される。さらに、ベースフレーム２４の右側のレンズ鏡筒１０に隣接した状態で電源ユニット６がビス２５により締結され、レンズ鏡筒１０，電気基板ユニット５，電源ユニット６が一体化される。さらに、ストロボユニット７が電源ユニット６の上部に固定され、ストロボチャージ用コンデンサ８がストロボユニット７の後方からレンズ鏡筒１０の上部傾斜面３１ｃの後方まで進入した状態で固着される。
【００３３】
一方、ＬＣＤユニット９は、後カバー３の内部にＬＣＤ表示板１５の表示面を開口部３ａに対向させた状態で固定配置される。
【００３４】
レンズ鏡筒１０，電気基板ユニット５，電源ユニット６が取り付けられたベースフレーム２４は、上記前カバー２と上記後カバー３内に挟み込まれた状態で収納され、上記前カバー２と上記後カバー３とを締結することによって固定され、電子カメラ１として完成する。
【００３５】
なお、上記収納状態では、レンズ鏡筒１０のプリズム３３の入射開口部が前カバー２の撮影窓２ａに対向して配置され、ストロボユニット７の発光部がストロボ発光窓２ｂの後方に配置される。さらに、ＬＣＤユニット９は、電池ユニット６とレンズ鏡筒１０に重なる状態で位置し、後カバー３のＬＣＤ開口部３ａに対向して位置する。
【００３６】
また、上記収納状態でレンズ鏡筒１０，電源ユニット６とＬＣＤユニット９とを合わせたＺ方向の厚みは、電気基板ユニット５のＺ方向の厚み（占有スペ−ス）と略等しい。また、レンズ鏡筒１０とＬＣＤユニット９とのＹ方向高さは、略等しい。
【００３７】
ここで、本実施形態の電子カメラ１の電気回路について、図２のブロック構成図を用いて説明する。
本実施形態の電子カメラ１においては、制御手段であるＣＰＵ１７０が内蔵されており、上記ＣＰＵ１７０により本電子カメラ１の各制御要素全体が制御される。
【００３８】
まず、撮影光学系１１１を通過した被写体の画像は、上記ＣＰＵ１７０の制御のもとで撮像素子であるＣＣＤ５５で電気信号に変換される。ＣＣＤ５５で変換された電気信号は、撮像回路１１３でアナログ画像信号に変換された後に、Ａ／Ｄ変換回路１１４によってテジタル画像信号に変換される。そして、このデジタル画像信号は、例えば、外部メモリである着脱可能なフラッシュメモリカード，スマートメモリカード等の記録媒体としての記録メディアカード（メモリカード）１２０にインターフェース（Ｉ／Ｆ）１２１を介して記録される。なお、記録メディアカード１２０は、メディアスロット２１に着脱可能である。
【００３９】
また、電子カメラ１の電気回路には、処理速度の早い内蔵メモリ１３０や画像処理回路１４０が設けられており、該内蔵メモリ１３０は、例えば、ランダムアクセスメモリ（ＲＡＭ）等が適用され、各画像処理における作業用メモリとして、或いは、一時的な画像記憶手段の高速バッファとして利用される。また、上記画像処理回路１４０は、Ａ／Ｄ変換回路１１４によりデジタル化された画像データに基づいてＲＧＢ信号への変換、画素数の変換、データの圧縮、伸長などの処理を行う。
【００４０】
さらに、電子カメラ１には、前述した画像表示用ＬＣＤ表示板１５（液晶表示装置）が搭載されているが、このＬＣＤ表示板１５には、メモリカード１２０に記録された画像の確認や、撮影しようとする被写体画像が表示される。ＬＣＤ表示板１５に表示される画像は、内蔵メモリ１３０からの画像情報が、一旦、ビデオメモリ１５１に取り込まれた後、ヒデオ出力回路１５２にてヒデオ画像に変換されて表示される画像である。また、ヒデオ出力回路１５２は、ヒデオ出力用の外部端子１５３を介して外部表示装置にヒデオ画像を出力するも可能である。
【００４１】
上記ＣＰＵ１７０は、上記レリーズ釦２６の操作による撮影開始信号を取り込み、ＣＣＤ５５により撮像を行ったり、図示しないモード設定釦の操作による操作部１７３の各種モードの設定信号を取り込み、撮影モードの設定を行う。その設定モードは、モードＬＣＤ１７２に表示される。また、ＣＰＵ１７０の制御に基づいて、被写体の撮像時における光量が不足している場合にはストロボユニット７のストロボ発光管１４をオンにし、ストロボ撮影が行われる。
【００４２】
さらに、ＣＰＵ１７０には、撮影光学系の合焦駆動およびズーム駆動を行うレンズ駆動源である第１，２ステップモータ５３，５４がドライバ１７１を介して接続されており、上記モータによるレンズ駆動が行われる。
【００４３】
また、ＣＰＵ１７０には、被写体光量調整装置であって、ＮＤフィルタユニットを駆動するためのＮＤフィルタ用ソレノイド５１およびシャッタユニットを駆動するためのシャッタ用ソレノイド５２がドライバ１７１を介して接続されており、上記ソレノイドによる光量調整駆動が行われる。
【００４４】
また、ＣＰＵ１７０には、撮影光学系の進退移動のリセット位置を検出するための検出手段であるフォトリフレクタ（以下、ＰＲと記載する）５８，５９が接続されている。上記撮影レンズ系１１１のリセット駆動時のリセット位置検出が行われる。
【００４５】
外部インターフェース（外部Ｉ／Ｆ）１６１は、外部入出力端子１６０に接続され、外部機器とのデータの入出力を行う。この外部入出力端子１６０には、例えば、パーソナルコンピュータ等が接続され、メモリカード１２０内の画像をパーソナルコンピュータ等に転送し、また、パーソナルコンピュータ等から画像データが取り込まれる。
【００４６】
また、本電子カメラ１の各制御要素には電源ユニット６の電池１２からの電力が電源部１８０を介して供給され、駆動される。なお、電池１２は、電源部１８０の制御により充電可能である。
【００４７】
次に、上記レンズ鏡筒１０の詳細な構造について図３〜１３を用いて説明する。
なお、図３，４は、上記レンズ鏡筒を背面側から見た分解斜視図である。図５は、上記レンズ鏡筒を前面側から見たワイド状態での縦断面図である。図６は、上記レンズ鏡筒を前面側から見たテレ状態での縦断面図である。図７は、図５のＡ−Ａ断面図であり、図８は、図６のＤ−Ｄ断面図であり、図９は、図５のＢ−Ｂ断面図である。図１０は、上記レンズ鏡筒の１群枠部（ＮＤフィルタユニット部）まわりの分解斜視図である。図１１は、図５のＣ矢視図であって、シャッタ駆動アームの回動範囲を示す。図１２は、シャッタユニットまわりの分解斜視図である。図１３（Ａ）は、図１２のＥ−Ｅ矢視図であり、シャッタ開状態を示す。図１３（Ｂ）は、図１２のＥ−Ｅ矢視図であり、シャッタ閉状態を示す。図１４（Ａ）は、シャッタ駆動アームの拡大断面図である。図１４（Ｂ）は、シャッタ駆動アームと軸部を軸部接着固定用治具に装着した状態を示す拡大断面図である。図１５は、接続ＦＰＣ装着状態の上記レンズ鏡筒を前面側から見た斜視図であり、図１６は、接続ＦＰＣ装着状態の上記レンズ鏡筒を背面側から見た斜視図である。
【００４８】
上記レンズ鏡筒１０は、図５等に示すように第１の保持枠である１群枠３１と、枠部材である固定枠３２とを有しており、上記１群枠３１に内蔵される部材は、反射光学部材のプリズム３３と、１群レンズ３４と、光量調整手段であるＮＤフィルタユニット４７と、フィルタ用駆動源であるＮＤフィルタ用ロータリーソレノイド（以下、ソレノイドと記載）５１と、シャッタ用駆動源（セクタ用駆動源）であるシャッタ用ソレノイド５２等である。さらに、上記固定枠３２の内部に設けられる部材は、光軸Ｏ２　に沿って光量調整手段（シャッタ手段）であるシャッタユニット４８、その下方に進退可能な第２の保持枠（第１の可動保持枠）である２群枠３８に保持されるズーム用レンズ群の２群レンズ３５、さらに、進退可能な第３の保持枠（第２の可動保持枠）である３群枠３９に保持されるズーム，フォーカス用レンズ群の３群レンズ３６、さらに、固定枠３２の下方開口部３２ｂに保持される４群レンズ３７と、ＣＣＤ基板５６上に実装され、被写体光束の結像位置に位置する撮像素子のＣＣＤ５５が順に配置されている。また、第２の光軸Ｏ２　（すなわち、Ｙ方向）に沿った左右に両端が固定枠３２に固定保持される吊り軸４１および回転止め軸４２と、２群枠３８を進退駆動するズーム駆動用であってモータユニットを構成する第１レンズ用駆動源の第１ステップモータ５３と、３群枠３９を進退駆動するズーム，フォーカス駆動用であってモータユニットを構成する第２レンズ用駆動源の第２ステップモータ５４と、さらに、上記２群枠３８と３群枠３９の間に挿入される圧縮バネ４６等である。また、固定枠３２の背面側には、金属板製の固定蓋８９が装着、固定される。固定枠３２の前面側には、上記各駆動源の接続端子，センサ等の電気接続部が実装されるＦＰＣ８６が配置される。
【００４９】
上記第１の保持枠３１は、直方体形状外形部とその後面側の一部に収納されるプリズム３３の外形に沿った傾斜面３１ｃを有する軸方向がＸ方向である三角柱形状の外形部分とからなる外形を有し、上記プリズム，上記１群レンズ，上記ＮＤフィルタユニット，上記ソレノイド等を収納し、固定枠３２の上部側にビスによりビス挿通穴３１ｆとビスネジ穴３２ｆとにより締結、結合される。
【００５０】
上記プリズム３３は、１群枠３１の前面開口部３１ａに挿入、固着される。光軸Ｏ１　に沿って入射した被写体光束は、このプリズム３３によって角度９０°折り曲げられ、第２の光軸Ｏ２　（Ｙ方向）に沿って下方開口部３１ｂに向けて反射される。
【００５１】
上記１群レンズ３４は、１群枠３１の下方開口部３１ｂの下部側に挿入、保持される。
【００５２】
上記ＮＤフィルタユニット４７は、１群枠３１の下面側に組み込まれ、被写体光量を調整するために光軸Ｏ１　と光軸Ｏ２　とを含む光軸面と略直交する方向に移動可能な光量調整部材であるＮＤフィルタ６７を有している。その構造の詳細は、後述する。
【００５３】
上記ＮＤフィルタ用ソレノイド５１とシャッタ用ソレノイド５２とは、ユニット化された状態で１群枠３１内のプリズム３３の左側に第１の光軸Ｏ１　に沿って並列して配置される。それぞれの出力軸５１ａ，５２ａは、１群枠３１の下方の光軸Ｏ２　方向に突出して配置される（図１０）。上記ＮＤフィルタ用ソレノイド５１の出力軸５１ａには、ピニオン６１が固着される。一方、シャッタ用ソレノイド５２の出力軸５２ａには、駆動力伝達部材であるシャッタ駆動アーム７１が固着されている。上記シャッタ駆動アーム７１のアーム部先端には、２群レンズの進退移動位置に対応した所定の長さの中空軸部材で形成される軸部７２が固着されている。上記ソレノイドが正転，逆転駆動されて、上記出力軸５１ａ，５２ａが回動駆動されることによって、上記ピニオン６１、または、上記シャッタ駆動アーム７１は、それぞれ開位置と閉位置との２つの回動位置に回動駆動される。ピニオン６１や軸部７２によるＮＤフィルタユニットやシャッタユニットの動作等については後述する。
【００５４】
上記２群枠３８は、中央上部に開口部３８ａと、Ｙ方向に沿って貫通する２つのガイド孔３８ｃと、ガイド孔３８ｃの反対側に回転止め切り欠き３８ｇと、リードネジ挿入用切り欠き３８ｄと、レバー回動軸孔３８ｅと、４本の段付きピン３８ｂと、Ｚ方向両端面に係止突起３８ｆ等を有している（図１２）。また、２群枠３８には、ズームレンズとなる２群レンズ３５の他に開口部３８ａ側上面に上記シャッタユニット４８が配置され、上記レバー軸孔３８ｅには、セクタ駆動レバー４３が回動可能に嵌入される。この２群枠３８は、ガイド孔３８ｃと切り欠き３８ｇとにそれぞれ摺動自在に嵌入する吊り軸４１および回転止め軸４２により光軸Ｏ２　に沿って進退移動可能に支持される。
【００５５】
上記シャッタユニット４８は、光軸Ｏ１　および光軸Ｏ２　とを含む光軸面に直交する方向に開閉移動可能な２枚の遮蔽部材である第１，第２セクタ７４，７６を有しており、その構造の詳細は、後述する。
【００５６】
上記３群枠３９は、Ｙ方向に沿って貫通する２つのガイド孔３９ｂと、ガイド孔３９ｂに対向した回転止め切り欠き３９ｃと、リードネジ挿入用切り欠き３９ｄとを有しており、中央開口部にズーム，フォーカスレンズとなる３群レンズ３６が装着されている。
【００５７】
上記第１ステップモータ５３は、モータ本体と、リードネジ軸８１が固着されるロータ部５３ｃと、他の軸を支持するための軸受け部５３ａがその先端部に設けられるコイル部５３ｂと、４本の接続端子５３ｄとを有してなる（図５，９）。
【００５８】
また、第２ステップモータ５４は、モータ本体と、リードネジ軸８３が固着されるロータ部５４ｃと、他の軸を支持するための軸受け部５４ａがその先端部にもうけられるコイル部５４ｂと、４本の接続端子５４ｄとを有してなる（図５，９）。
【００５９】
上記第１，第２ステップモータ５３，５４は、図５，９に示すようにモータ取り付け板８５を介して固定枠３２の第１の外壁である左側壁部３２ｋ内側に固定支持される。すなわち、上記第１，第２ステップモータ５３，５４は、固定枠３２の２，３群枠３８，３９の配設位置の左側であって、かつ、上記ソレノイド５１，５２の下方の光軸Ｏ２　と平行な直線領域の下，上位置に互いにリードネジ軸を対向させ、ロータ部５３ｃとコイル部５３ｂ、および、ロータ部５４ｃとコイル部５４ｂが光軸Ｏ１　と光軸Ｏ２　とを含む光軸面に沿った状態で上記モータ取り付け板８５の上下端に取り付けられ、上記モータ取り付け板８５を位置決めピン３２ｐに位置決めされてビス４９により左側壁部３２ｋ内側に固定することによって上記ステップモータが装着される。
【００６０】
上記ステップモータ装着支持状態では、下方にリードネジ軸８１を上方に向けて第１ステップモータ５３が位置し、上方にリードネジ軸８３を下方に向けて第２ステップモータ５４が位置しており、かつ、それらのリードネジ軸８１，８３の各先端部は、それぞれ他方のステップモータ５４，５３の軸受け部５４ａ，５３ａに回転可能に嵌入させて支持される。
【００６１】
したがって、上記ステップモータ５３，５４の取り付け状態でリードネジ軸８１，８３は、光軸Ｏ１　と光軸Ｏ２　とを含む光軸面に平行な状態で、かつ、光軸Ｏ２　に平行な状態で配置される。そして、リードネジ軸８１，８３は、光軸Ｏ２　方向に並列して配置される。また、上記ソレノイド５１，５２と上記ステップモータ５３，５４とは、光軸Ｏ２　の側方に平行な１つの直線領域上に配置されることになる。
【００６２】
上記リードネジ軸８１には、２群枠駆動ナット８２が螺合、嵌入され、リードネジ軸８３には、３群枠駆動ナット８４が螺合、嵌入される。上記螺合された２群枠駆動ナット８２の下面には、リードネジ軸８１を跨いで挿入される２群枠３８の切り欠き３８ｄの上面部３８ｈ（図１２）が圧縮バネ４６の付勢力で当接し、上方向に付勢される。また、上記螺合された３群枠駆動ナット８４の上面には、リードネジ軸８３を跨いで挿入される３群枠３９の切り欠き３９ｄの下面部３９ｈが圧縮バネ４６の付勢力で当接し、下方向に付勢される。
【００６３】
上述のようにして各駆動ナット８２，８４の移動により、２，３群枠３８，３９が進退駆動されると共に、各駆動ナット８２，８４と各リードネジ軸８１，８３との螺合ガタが一方向に寄せられる。
【００６４】
したがって、ステップモータ５３によりリードネジ軸８１が回転されると、２群枠駆動ナット８２を介して２群枠３８が光軸Ｏ２　に沿って図５のワイド位置（リセット位置）からテレ位置の間を進退駆動される。同様にステップモータ５４によりリードネジ軸８３が回転されると、３群枠駆動ナット８４を介して３群枠３９が光軸Ｏ２　に沿って図５のワイド位置（リセット位置）から図６のテレ位置の間を進退駆動される。なお、ステップモータ５３，５４のリセット処理動作時には、２群枠３８と３群枠３９がリセット方向に移動し、上記各リセット位置に到達すると、後述する検出手段であるフォトリフレクタ（以下、ＰＲと記載）５８，５９（図７，１５）により上記リセット位置到達が検出される。
【００６５】
このように、ズーム時には、ステップモータ５３，５４を駆動してズームレンズである２群レンズ３５を保持する２群枠３８と、ズーム，フォーカス用である３群レンズ３６を保持する３群枠３９を駆動する。このとき、上記ＰＲ５８，５９により検出されるリセット位置を基準として、上記ステップモータ５３，５４の駆動ステップ数から２群枠３８，３群枠３９の駆動量が判るため、上記駆動ステップ数から光学系の変倍状態が算出される。
【００６６】
そして、フォーカス駆動は、上記駆動ステップモータ５４を駆動して、３群枠３９を光軸Ｏ２　方向に変位させることにより行われる。
【００６７】
上記ＮＤフィルタユニット４７は、１群枠３１の下面と固定枠３２の上面間に配置され、図１０の分解斜視図に示すようにＮＤフィルタ用ソレノイド５１の出力ピニオン６１に噛合するアイドルギヤ６２と、アイドルギヤ６２に噛合するＮＤフィルタ駆動ギヤ６３と、１群枠３１に取り付けられ、上記ギヤを保持する地板６４と、両端にピン穴６５ａ，６５ｂが設けられるフィルタ駆動アーム６５と、中央開口部６６ａ，ピン穴６６ｂ，Ｘ方向の長孔６６ｃが設けられるＮＤフィルタ傷防止用シート６６と、ピン穴６７ｂ，Ｘ方向の長孔６７ｃが設けられるＮＤフィルタ６７と、カシメピン６８とを有してなる。
【００６８】
上記フィルタ駆動アーム６５の一端のピン孔６５ａは、フィルタ駆動ギヤ６３の駆動ピン６３ａに嵌入し、フィルタ駆動ギヤ６３に一体支持される。上記カシメピン６８は、上記ＮＤフィルタ６７のピン孔６７ｂおよび上記ＮＤフィルタ傷防止用シート６６のピン孔６６ｂに回動可能に嵌入した状態で、上記フィルタ駆動アーム６５のピン孔６５ｂにカシメ固定される。また、ＮＤフィルタ傷防止用シート６６とＮＤフィルタ６７とは、その長孔６６ｃと６７ｃが１群枠３１のガイドピン３１ｅに摺動自在に嵌入して支持される。なお、ＮＤフィルタ６７の下面の固定枠３２の開口部３２ａ側には、中央開口部を有するＮＤフィルタ保護シート７９付き支持シート７８（図３，４）が配置されており、ＮＤフィルタ６７は、光軸Ｏ２　に直交する平面上に配置され、その平面に沿ってＸ方向にスライド移動可能となる。
【００６９】
上述した構成を有するＮＤフィルタユニット４７による光量調整動作において、ＮＤフィルタ用ソレノイド５１が図１０の下方から見て時計回りに回動駆動されると、フィルタ駆動ギヤ６３を介してフィルタ駆動アーム６５が図１０の下から見て時計回りに回動駆動される（ＮＤフィルタの進入駆動方向）。そして、ＮＤフィルタ傷防止用シート６６とＮＤフィルタ６７と一体でＸ（＋）方向（すなわち、光軸Ｏ１　，光軸Ｏ２　を含む光軸面、すなわち、ＹＺ平面に直交する方向）にスライドし、ＮＤフィルタ６７が固定枠３２の開口部３２ａより退避した位置から開口部３２ａを覆う進入位置に移動し、減少した被写体光量が２群レンズ３５側に入射する状態になる。逆に、ＮＤフィルタ用ソレノイド５１が図１０の下から見て反時計回りに回動駆動されると、ＮＤフィルタ傷防止用シート６６とＮＤフィルタ６７とは、上記移動方向とは逆の方向（Ｘ（−）方向）にスライドし、ＮＤフィルタ６７が固定枠３２の開口部３２ａから退避した退避位置に移動し、被写体光束の全入射光量が２群レンズ３５側に射出される状態になる。
【００７０】
上記シャッタユニット４８は、図１２に示すように２群枠３８の上部に装着されるユニットであり、中央開口部７３ａ，４つの支持孔７３ｂ，逃げ用円弧溝７３ｃ，対向する両折り曲げ部の係止孔７３ｄが設けられたシャッタ蓋７３と、Ｘ方向の直進ガイド長孔７４ｂ，Ｚ方向の係合孔である係合長孔７４ｃおよび遮蔽部が設けられた第１セクタ７４と、シャッタ開口径を与える開口部７５ａ，取り付け長孔７５ｂ，逃げ用円弧溝７５ｃが設けられた第１羽根シート７５と、Ｘ方向の直進ガイド長孔７６ｂ，Ｚ方向の係合孔である係合長孔７６ｃおよび遮蔽部が設けられる第２セクタ７６と、上記開口部７５ａより大径に形成された開口部７７ａ，取り付け長孔７７ｂ，逃げ用円弧溝７７ｃが設けられる第２羽根シート７７と、Ｙ方向に沿った回動軸部４３ａ，被駆動長孔４３ｂ，２本の係合軸であるセクタ駆動ピン４３ｃ，４３ｄが設けられるセクタ駆動部材のセクタ駆動レバー４３とを有してなる。
【００７１】
なお、上記第１，２羽根シート７４，７５に２つずつ設けられた取り付け長孔７５ｂ，７７ｂは、それぞれ一方が段付きピン３８ｂに位置決めとして嵌合し、他方が若干のガタを持つように形成される。
【００７２】
上記セクタ駆動レバー４３は、その回動軸部４３ａを２群枠３８のシャッタレバー回動軸孔３８ｅに貫通させ、その軸部先端に抜け止め用止めリング４５を係止させる。そのセクタ駆動レバー４３装着状態で２群枠３８の上方側から第２羽根シート７７，第２セクタ７６，第１羽根シート７５，第１セクタ７４の順で２群枠３８の段付きピン３８ｂに挿入させる。その際、セクタ駆動レバー４３の一方のセクタ駆動ピン４３ｃを下方から順に逃げ用円弧溝７７ｃ，７５ｃと係合長孔７４ｃに挿通させ、同時に他方のセクタ駆動ピン４３ｄを係合長孔７６ｃに挿通させる。最後にシャッタ蓋７３を上から被せて２群枠３８の係止突起部３８ｆに係止孔７３ｄを係合させてシャッタユニット４８の装着状態となる。なお、この状態で上記セクタ駆動ピン４３ｃが逃げ用円弧溝７３ｃに挿通される。上記セクタ駆動レバー４３の被駆動長孔４３ｂには、後述するシャッタ駆動アーム７１の軸部７２が摺動自在に嵌入するので、シャッタ駆動アーム７１によりセクタ駆動レバー４３が回動駆動され、上記シャッタユニット４８のセクタ７４，７６がスライド駆動される。
【００７３】
上記軸部７２は、シャッタ駆動アーム７１の回動軸中心から所定距離離間した位置に光軸Ｏ２　に平行な方向に延出する状態でシャッタ駆動アーム７１に固着され、その長さは、組み付け状態で２群枠３８が光軸Ｏ２　方向に進退移動した場合でも常に軸部７２がセクタ駆動レバー４３の被駆動長孔４３ｂに常に嵌入した係合状態にあるような長さに設定されている。
【００７４】
上記シャッタ駆動アームと軸部の拡大断面図である図１４（Ａ）に示すように、上記軸部７２は、アーム７１の先端の軸孔７１ａに挿入され、その嵌入隙間に接着剤を注入して接着固定される。図１４（Ｂ）に示すように上記シャッタ駆動アーム７１と軸部７２を接着する場合、シャッタ駆動アーム７１を接着固定治具９１に形成された保持枠９１ａに装着し、軸部７２を治具９１の軸保持孔９１ｂに嵌入させて保持し、かつ、軸孔７１ａに挿入する。上記軸孔７１ａと軸部７２には、位置精度調整可能な隙間があり、軸部７２がシャッタ駆動アーム７１に対して所定距離離間し、かつ、平行な状態で支持される。その支持状態で軸孔７１ａに接着剤を注入し、軸部７２がシャッタ駆動アーム７１に接着固定される。シャッタ駆動アーム７１が固定枠３２に組み込まれた場合、上記軸部は、シャッタ駆動アーム７１に対して所定距離離間し、かつ、光軸Ｏ２　に平行な状態に支持される。
【００７５】
上記シャッタ駆動アーム７１は、組み込み状態で第２ステップモータ５４の位置する光軸Ｏ２　と直交する平面上で略同一領域にあるが、第２ステップモータ５４は、軸部７２の揺動軌跡を避けた位置に配置される。同時に、上記軸部７２の揺動軌跡は、吊り軸４１の位置を避けた領域にある。
【００７６】
上記シャッタ駆動アーム７１の開閉回動位置は、図５のＣ矢視図である図１１に示すように固定枠３２の開口部３２ｇの規制突起により規定される。すなわち、シャッタ駆動アーム７１は、固定枠３２の２つの規制突起３２ｉ，３２ｈを持つ開口部３２ｇを挿通しており、シャッタ駆動アーム７１が開方向（図１１上で時計回り）に回動したとき、その先端が規制突起３２ｉに当接してシャッタ駆動アーム７１の開放回動位置が規定される。また、シャッタ駆動アーム７１が閉方向（図１１上で反時計回り）に回動したとき、その先端が規制突起３２ｈに当接してシャッタ駆動アーム７１の閉鎖回動位置が規定される。
【００７７】
また、シャッタユニット４８は、２群枠３８の上面に沿って配置されており、２群枠３８と一体的に光軸Ｏ２　方向に進退移動する。したがって、上記第１，２セクタ７４，７６は、常に光軸Ｏ２　に直交する平面に沿って保持され、その平面上をスライド移動する。
【００７８】
上述した構成を有するシャッタユニット４８のシャッタ開閉動作において、図１３（Ｂ）に示すシャッタ閉状態から図１３（Ａ）のシャッタ開状態にする場合、シャッタ用ソレノイド５２の出力軸５２ａを反時計回り（図１３（Ｂ）上）に駆動すると、シャッタ駆動アーム７１の軸部７２を介してセクタ駆動レバー４３が時計回りに回動駆動される。セクタ駆動レバー４３の時計回りの回動により図１３（Ａ）に示すようにセクタ駆動ピン４３ｃ，４３ｄにより第１セクタ７４と第２セクタ７６がそれぞれＸ（＋）、および、Ｘ（−）方向（すなわち、光軸Ｏ１　と光軸Ｏ２　を含む光軸面に直交する方向）にスライド駆動され、羽根シートの開口部７５ａを開放するシャッタ開放状態（最大開口径）となる。
【００７９】
また、図１３（Ａ）に示すシャッタ開状態からシャッタ閉状態にする場合、シャッタ用ソレノイド５２の出力軸５２ａを時計回り（図１３（Ａ）上）に駆動すると、シャッタ駆動アーム７１の軸部７２を介してセクタ駆動レバー４３が反時計回りに回動駆動される。セクタ駆動レバー４３の反時計回りの回動により図１３（Ｂ）に示すようにセクタ駆動ピン４３ｃ，４３ｄにより第１セクタ７４と第２セクタ７６がそれぞれＸ（−）方向、および、Ｘ（＋）方向（すなわち、光軸Ｏ１　と光軸Ｏ２　を含む光軸面に直交する方向）にスライド駆動され、羽根シートの開口部７５ａを閉鎖するシャッタ閉状態となる。
【００８０】
上記レンズ鏡筒１０においては、レンズ群，ステップモータ等の各構成部材の組み込みを行う場合、上記固定枠３２の背面側に設けられる開口部３２ｇを通して上記レンズ群，ステップモータ等が挿入され、組み付けが行われる。組み込み終了後、上記開口部３２ｇには金属板の固定蓋８９が装着され、ビスをビス挿通穴８９ｄ，８９ｅに挿通させ、固定枠側ネジ穴３２ｄ，３２ｅに螺着させて固定枠３２を密閉状態とする（図３）。
【００８１】
上記レンズ鏡筒１０の固定枠３２には、図１５に示すように固定枠直方体の厚み方向と直交する面（ＸＹ平面）に沿った第２の外壁である前側壁部３２ｊに前記２，３群枠リセット位置検出用ＰＲ５８およびＰＲ５９が挿入可能な挿入孔３２ｒと３２ｓが設けられる。上記挿入孔３２ｒと３２ｓの位置は、２，３群枠３８，３９が移動軌跡上のリセット位置にあるときの被検出面が対向する位置とする。
【００８２】
また、図１６に示すように固定枠３２の前側壁部３２ｊに隣接し、かつ、直方体の厚み方向に沿った面の前記第１の外壁である左側（図１６では、右側）壁部３２ｋの下，上位置に端子挿通孔３２ｍ，３２ｎが設けられている。その端子挿通孔３２ｍ，３２ｎには、第１ステップモータ５３と第２ステップモータ５４の各４本のモータ端子５３ｄ，５４ｄが挿通し、固定枠外部に露呈する。さらに、ＮＤフィルタ用ソレノイド５１の２本のリード線５１ｂおよびシャッタ用ソレノイド５２の２本のリード線５２ｂは、図１６に示すように第１の保持枠３１の左側（図１６では、右側）から導出され、前側壁部３２ｊの上部に導かれる。
【００８３】
上記接続ＦＰＣ８６の上方部には、ＮＤフィルタ用ソレノイドリード線接続ランド８６ｅと、シャッタ用ソレノイドリード線接続ランド８６ｆとが設けられ、さらに中央部には、面実装タイプの上記ＰＲ５８，５９が実装されている。さらに、接続ＦＰＣ８６の２箇所の突起部８６ａ，８６ｂは、固定枠３２の前面壁部３２ｊの表面から左側壁部３２ｋの表面にかけて、折り曲げて貼付される。その突起部８６ａ，８６ｂには、第１ステップモータ端子接続ランド８６ｃ、および、第２ステップモータ端子接続ランド８６ｄとが設けられる。
【００８４】
上記接続用ＦＰＣ８６をレンズ鏡筒１０に取り付ける場合は、接続ＦＰＣ８６を固定枠３２の前側壁部３２ｊの表面に貼付して、実装済みのＰＲ５８，５９をそれぞれ固定枠３２の挿入孔３２ｒ，３２ｓに挿入する。一方、接続ＦＰＣ８６の突起部８６ａ，８６ｂを固定枠３２の前面壁部３２ｊの表面側から折り曲げて左側壁部３２ｋに貼付し、モータ端子５３ｄ，５４ｄをモータ端子接続ランド８６ｃ，８６ｄに半田付けする。さらに、ソレノイド５１，５２のリード線５１ｂ，５２ｂを接続ＦＰＣ８６のソレノイドリード線接続ランド８６ｅ，８６ｆに半田付けする。なお、この接続ＦＰＣ８６は、前記電気基板ユニット５側の電気基板側に導出され、コネクタ接続される。
【００８５】
次に、上述した構成を有する本実施形態のカメラ１による撮影動作について説明する。
使用者が後カバー上の電源釦２７を操作することによって電源スイッチをオンとし、メモリカード１２０をカードスロット２１に挿入する。そして、図示しないモード設定釦２７を操作すると、ＣＰＵ１７０により撮影モードが選択、設定される。
【００８６】
続いて、撮影を実行する場合、プリズム３３，１〜４群レンズ３４〜３７を介して取り込まれた被写体光束の画像がＣＰＵ１７０の制御のもとでＣＣＤ５５により電気的撮像信号に変換され、内蔵メモリ１３０に映像信号として取り込まれる。その映像信号は、ＬＣＤ表示板１５に被写体像として表示される。使用者がズーミング等の操作を行って撮影するべき被写体と撮影画角を定めて、レリーズ釦２６の１段目の押圧操作をすると、ＣＰＵ１７０の制御のもとで上記映像信号のコントラスト情報に基づいて、３群レンズ３６の合焦駆動が行われる。この合焦駆動、および、上記ズーム駆動は、第１，第２ステップモータ５３，５４を駆動制御し、２群枠３８、および、３群枠３９をそれぞれの光軸Ｏ２　に沿った進退位置に移動させて行われる。一方、上記取り込まれた映像信号に基づいて、被写体光の測光が行われる。その測光データで被写体輝度が所定値より高い場合、ＮＤフィルタ用ソレノイド５１が駆動され、ＮＤフィルタ６７が固定枠開口３２ａを覆う位置に進入移動する。
【００８７】
次いで、レリーズ釦２６の２段目の押圧操作により撮影開始信号を取り込み、上記測光データに基づくシャッタ開放時間経過後、シャッタ用ソレノイド５２を駆動して、第１，第２セクタ７４，７６が閉位置に移動し、シャッタ閉状態となる。
【００８８】
上記シャッタ開期間中、プリズム３３を介して取り込まれた被写体光束が撮影レンズ系を透過し、ＣＣＤ５５の結像面上に結像し、露光が行われる。ＣＰＵ１７０の制御のもとでＣＣＤ５５より露光時間内の撮像信号が出力され、映像信号に変換される。上記映像信号は、一旦、内蔵メモリ１３０に記録後、画像処理回路１４０により所定の処理が行われてメモリカード１２０に記録され、撮影が終了する。
【００８９】
以上、説明したように本実施形態のカメラに内蔵されるレンズ鏡筒１０によれば、まず、光量の調整を行う場合、ＮＤフィルタユニットのＮＤフィルタ６７を略Ｘ方向（すなわち、光軸Ｏ１　と光軸Ｏ２　を含む光軸面に対して直交する方向）にスライド移動させるので、レンズ鏡筒１０の光軸Ｏ１　方向（Ｚ方向）の厚みを薄くすることができる。
【００９０】
同様に、シャッタユニットのセクタ７４，７６も同様に略Ｘ方向にスライド移動することでシャッタの開閉が可能であり、レンズ鏡筒１０の光軸Ｏ１　方向（Ｚ方向）の厚みを薄くすることができる。
【００９１】
また、ＮＤフィルタユニット４７とシャッタユニット４８とが光軸Ｏ２　方向で異なる平面域に配置されている。すなわち、ＮＤフィルタユニット４７が１群枠３１側の下方部に配置され、シャッタユニット４８がその下方に進退可能に配置される２群枠３８の上面部に配置される。したがって、レンズ鏡筒の光軸Ｏ２　方向の配置が簡素化され、レンズ鏡筒１０のＹ方向の高さを低くすることができる。
【００９２】
また、１群枠３１のプリズム３３の左側に配置されるＮＤフィルタ駆動用のソレノイド５１とセクタ駆動用のソレノイド５２が光軸Ｏ１　に沿って並列して配置され、さらに、そのソレノイド部の下方で固定枠３２の光軸Ｏ２　の左方側に２，３群枠を進退駆動する第１，第２ステップモータ５３，５４が配置されている。すなわち、シャッタユニット４８や２，３群枠３８，３９の配設位置の側方であって、光軸Ｏ２　に平行な左側の直線領域に上記ソレノイド５１，５２とステップモータ５３，５４が配置されることから、レンズ鏡筒１０内にデッドスペースが極めて少なくなる。さらに、ステップモータ５３，５４の軸受け部とロータ部のそれぞれを光軸Ｏ１　方向に並列状態で配置し、光軸Ｏ２　方向に互いにずれた位置に配置されていることから、上記ステップモータの出力軸であるリードネジ軸８１と８３を光軸Ｏ２　に沿って平行に保った状態で効率よく配置することができる。したがって、レンズ鏡筒１０が全体的にコンパクトにまとめられ、小型化が実現できる。
【００９３】
また、シャッタ駆動アーム７１の揺動端部に固着される軸部７２は、吊り軸４１を避けた回動領域を移動し、かつ、その軸部の回動領域外に第２ステップモータが配設されているので、この点からもレンズ鏡筒１０をコンパクトにまとめることが可能となる。
【００９４】
また、シャッタ駆動アーム７１の揺動端部に固着される軸部７２は、光軸Ｏ２　方向に比較的長い所定寸法延出して設けられているが、中空軸で形成されている。したがって、シャッタ駆動アーム７１の回動軸中心回りの慣性モーメントが過大にならず、上記軸部７２を介して第１，２セクタ７４，７６を高速駆動することが可能になり、高速シャッタ開閉が可能となる。
【００９５】
ここで、上記レンズ鏡筒１０に適用されたＮＤフィルタユニット４７の変形例について、図１７のＮＤフィルタユニット変形例の平面図を用いて説明する。　　上記変形例のＮＤフィルタユニット１０１は、スライド移動可能なＮＤフィルタ枠１０２と、ＮＤフィルタ枠１０２に保持されるＮＤフィルタ１０３とを有してなる。
【００９６】
上記ＮＤフィルタ枠１０２は、Ｘ方向を長手方向とする形状を有し、その右方側に上記ＮＤフィルタ１０３が保持される。さらに、ＮＤフィルタ枠１０２には、ＮＤフィルタ１０３を挟んだ両側に沿ってＺ方向に延び、Ｚ方向にずれて配置される直線ガイド溝１０２ｂ，１０２ｃと、一方のＺ側の端面に沿ったラック１０２ｄとが形成されている。
【００９７】
上記ガイド溝１０２ｂ，１０２ｃには、１群枠３１側にＺ方向に離間し、Ｘ方向にずれた位置に配置されるガイドピン３１ｇ，３１ｈが摺動自在に嵌入する。また、上記ラック１０２ｄは、ＮＤフィルタ用ソレノイド５１の出力ピニオン６１と噛合する。
【００９８】
上記ＮＤフィルタユニット１０１において、ＮＤフィルタ用ソレノイド５１の出力ピニオン６１がフィルタ進入方向に回動されると、ＮＤフィルタ枠１０２がＸ（＋）方向（すなわち、光軸Ｏ１　と光軸Ｏ２　を含む光軸面に直交する方向）にスライドし、ＮＤフィルタ部１０３が固定枠開口３２ａを覆う進入位置に移動する。また、逆に出力ピニオン６１がフィルタ退避方向に回動されると、ＮＤフィルタ枠１０２がＸ（−）方向にスライドし、ＮＤフィルタ１０３が固定枠開口３２ａから退避した位置に移動する。
【００９９】
上記変形例のＮＤフィルタユニット１０１を適用した場合、駆動部を含む構成部材数が少なく、占有スペースも小さく、安価でコンパクト化が可能なレンズ鏡筒を提供できる。
【０１００】
【発明の効果】
上述のように本発明の請求項１，２，３記載のレンズ鏡筒によれば、第１の光軸と第２の光軸とを含む光軸面に対し略直交する方向に光量調整部材を移動させる構成を採用したことにより、レンズ鏡筒の小型化、薄型化を図ることができる。
【０１０１】
本発明の請求項４記載のレンズ鏡筒によれば、第２の光軸に直交する光軸面内て露出開口を開閉するシャッタ手段を設け、さらに遮蔽部材を第１の光軸と第２の光軸とを含む光軸面に対し略直交する方向に移動させることでレンズ鏡筒の小型化、薄型化を図ることができる。
【０１０２】
本発明の請求項５記載のレンズ鏡筒によれば、請求項４記載のレンズ鏡筒の効果に加えて、さらにシャッタ用駆動源とレンズ用駆動源からなる複数のアクチュエータを第２の光軸に略平行な方向に沿って配置し、且つ、これらのアクチュエータをシャツタ手段の側方に配置することからレンズ鏡筒のさらなる小型化、薄型化を図ることができる。
【０１０３】
本発明の請求項６記載のレンズ鏡筒によれば、請求項４記載のレンズ鏡筒の効果に加えて、さらに第１の光軸と第２の光軸とを含む光軸面に対し略直交する方向にＮＤフィルタを移動させる構成を採用したことにより、レンズ鏡筒の小型化、薄型化を図ることができる。
【０１０４】
本発明の請求項７記載のレンズ鏡筒によれば、請求項６記載のレンズ鏡筒の効果に加えて、さらにＮＤフィルタとシャッタ手段とを第２の光軸に沿う方向で異なる位置に配置したのでさらなるレンズ鏡筒の小型化、薄型化を図ることができる。
【０１０５】
本発明の請求項８記載のレンズ鏡筒によれば、変倍光学系を有するレンズ鏡筒において、可動のレンズ群を第２の光軸に沿って配置し、第２の光軸に直交する平面内で露出開口を開閉するシャッタ手段を設け、さらに上記シャッタ手段の遮蔽部材を第１の光軸と第２の光軸とを含む光軸面に対し略直交する方向に移動させることによりレンズ鏡筒の厚みを薄くすることができる。
【０１０６】
本発明の請求項９記載のレンズ鏡筒によれば、請求項８記載のレンズ鏡筒の効果に加えて、さらに第１の光軸と第２の光軸とを含む光軸面に対し略直交する方向にＮＤフィルタを移動させる構成を採用したことにより、レンズ鏡筒の厚みをさらに薄くすることができる。
【０１０７】
本発明の請求項１０記載のレンズ鏡筒によれば、請求項９記載のレンズ鏡筒の効果に加えて、さらにシャッタ用駆動源とフィルタ用駆動源を第１の光軸方向に並列配置し、第１，第２レンズ用駆動源を第１の光軸に並列させ、且つ、第２の光軸方向に略直線的にずれた位置に配置したことにより、さらなるレンズ鏡筒の小型化、薄型化を図ることができる。
【図面の簡単な説明】
【図１】本発明の一実施形態であるレンズ鏡筒を内蔵する電子カメラの分解斜視図である。
【図２】上記図１の電子カメラの電気回路のブロック構成図である。
【図３】上記図１の電子カメラのレンズ鏡筒を背面側から見た分解斜視図である。
【図４】上記図１の電子カメラのレンズ鏡筒を背面側から見た分解斜視図である。
【図５】上記図３のレンズ鏡筒を前面側から見たワイド状態での縦断面図である。
【図６】上記図３のレンズ鏡筒を前面側から見たテレ状態での縦断面図である。
【図７】上記図５のＡ−Ａ断面図である。
【図８】上記図６のＤ−Ｄ断面図である。
【図９】上記図５のＢ−Ｂ断面図である。
【図１０】上記図３のレンズ鏡筒の１群枠部（ＮＤフィルタユニット部）まわりの分解斜視図である。
【図１１】上記図５のＣ矢視図であって、シャッタ駆動アームの回動範囲を示す。
【図１２】上記図３のレンズ鏡筒のシャッタユニット部まわりの分解斜視図である。
【図１３】上記図１２のＥ−Ｅ矢視図であって、図１３（Ａ）は、シャッタ開状態を示し、図１３（Ｂ）は、シャッタ閉状態を示す。
【図１４】上記図３のレンズ鏡筒に適用されるシャッタ駆動アームの形状および接着固定用金型装着状態を示す図であって、図１４（Ａ）は、シャッタ駆動アームの拡大断面図であり、図１４（Ｂ）は、シャッタ駆動アームと軸部を接着固定用治具に装着して接着する状態を示す拡大断面図である。
【図１５】上記図３のレンズ鏡筒に接続ＦＰＣを装着した状態を前面側から見た斜視図である。
【図１６】上記図３のレンズ鏡筒に接続ＦＰＣを装着した状態を背面側から見た斜視図である。
【図１７】上記図３のレンズ鏡筒に適用されたＮＤフィルタユニットの変形例の平面図である。
【符号の説明】
３３…プリズム（反射光学部材）
３５…２群レンズ
（レンズ群，変倍系光学系）
３６…３群レンズ
（レンズ群，変倍系光学系）
３８…２群枠
（保持枠，第１の可動保持枠）
３９…３群枠
（保持枠，第２の可動保持枠）
４８…シャッタユニット
（光量調整部材，シャッタ手段）
５１…ＮＤフィルタ用ソレノイド
（駆動源，フィルタ用駆動源）
５２…シャッタ用ソレノイド
（駆動源，シャッタ用駆動源）
５３…第１ステップモータ
（レンズ用駆動源）
５４…第２ステップモータ
（レンズ用駆動源）
６７…ＮＤフィルタ
（光量調整部材）
７４…第１セクタ
（光量調整部材，遮蔽部材）
７６…第２セクタ
（光量調整部材，遮蔽部材）
Ｏ１　…第１の光軸
Ｏ２　…第２の光軸
【図１】
2004133052.tif 000003
【図２】
2004133052.tif 000004
【図３】
2004133052.tif 000005
【図４】
2004133052.tif 000006
【図５】
2004133052.tif 000007
【図６】
2004133052.tif 000008
【図７】
2004133052.tif 000009
【図８】
2004133052.tif 000010
【図９】
2004133052.tif 000011
【図１０】
2004133052.tif 000012
【図１１】
2004133052.tif 000013
【図１２】
2004133052.tif 000014
【図１３】
2004133052.tif 000015
【図１４】
2004133052.tif 000016
【図１５】
2004133052.tif 000017
【図１６】
2004133052.tif 000018
【図１７】
2004133052.tif 000019